(57)【特許請求の範囲】
【請求項１】
内部の氷を外部に放出するための氷放出口を有する貯氷庫本体と、
貯氷庫本体内に設けられ、回転シャフト並びに前記回転シャフトから延びる氷押送部材及び突出部材を有するアジテータと、
前記貯氷庫本体の底部と間隔をあけて貯氷庫本体内に設けられ、前記氷押送部材から前記氷放出口に向かう方向に延びる氷案内部とを備え、
前記氷押送部材は、前記氷案内部が延びる方向に向かって前記回転シャフトと共に回転して前記氷放出口に氷を送り、
前記突出部材が、前記回転シャフトの軸方向に垂直な方向で前記氷押送部材より突出する貯氷庫。
【請求項２】
前記アジテータの前記回転シャフトは、略水平方向に延び、
前記氷案内部は、
互いに間隔をあけて設けられ、前記アジテータの前記氷押送部材の両側のそれぞれから前記氷放出口の両側のそれぞれに向かう方向に延びる第一ガイド部材及び第二ガイド部材と、
前記貯氷庫本体の底部と間隔をあけて前記氷放出口に設けられ、前記第一ガイド部材から前記第二ガイド部材にわたって延在する氷案内板とを有し、
前記氷押送部材は、前記第一ガイド部材及び前記第二ガイド部材が延びる方向に向かって回転する請求項１に記載の貯氷庫。
【請求項３】
前記アジテータの前記氷押送部材は、前記回転シャフトから放射状に突出し、
前記アジテータの前記突出部材は、前記回転シャフトを螺旋状に取り囲む螺旋状部材と、前記回転シャフトから突出する氷攪拌部材とを含み、
前記螺旋状部材は、前記回転シャフトの軸方向に垂直な方向で前記氷攪拌部材より突出せず、
前記氷押送部材は、前記回転シャフトの軸方向に垂直な方向で前記螺旋状部材より突出しない請求項１または２に記載の貯氷庫。
【発明の詳細な説明】
【技術分野】
【０００１】
この発明は貯氷庫に係り、特に、飲料と共に氷を供給する飲料ディスペンサ又は氷ディスペンサの貯氷庫に関する。
【背景技術】
【０００２】
例えば特許文献１には、氷ディスペンサにおいて、底部が円弧状になった貯氷室に回転自在な氷押送部材が設けられ、円弧状の底部の周方向に氷案内溝が形成され、氷案内溝に氷放出口が設けられた構成が記載されている。さらに、氷案内溝は、回転する氷押送部材の端部が氷案内溝に臨むように形成されている。
【先行技術文献】
【特許文献】
【０００３】
【特許文献１】特開２００５−２１４５６６号公報
【発明の概要】
【発明が解決しようとする課題】
【０００４】
しかしながら、特許文献１の氷ディスペンサは、氷押送部材がその端部を氷案内溝内に沿わせて回転することによって、貯氷室の氷片を氷放出口から放出させる構成であるため、氷押送部材と氷案内溝との間で氷片が圧縮されて粉砕することで発生する粉氷の量が多くなる。さらに、氷押送部材は、放出すべき氷片と共に氷案内溝内の粉氷を氷放出口から放出する。このため、特許文献１の氷ディスペンサでは、利用者に供給される氷の品質が低下するという問題がある。
【０００５】
この発明はこのような問題点を解決するためになされたものであり、貯氷庫から放出され利用者に供給される氷に含まれる粉氷量の低減を図る、飲料と共に氷を供給する飲料ディスペンサ又は氷ディスペンサの貯氷庫を提供することを目的とする。
【課題を解決するための手段】
【０００６】
上記の課題を解決するために、この発明に係る貯氷庫は、内部の氷を外部に放出するための氷放出口を有する貯氷庫本体と、貯氷庫本体内に設けられ、回転シャフト並びに回転シャフトから延びる氷押送部材及び突出部材を有するアジテータと、貯氷庫本体の底部と間隔をあけて貯氷庫本体内に設けられ、氷押送部材から氷放出口に向かう方向に延びる氷案内部とを備え、氷押送部材は、氷案内部が延びる方向に向かって回転シャフトと共に回転して氷放出口に氷を送り、突出部材が、回転シャフトの軸方向に垂直な方向で氷押送部材より突出する。
【０００７】
アジテータの回転シャフトは、略水平方向に延び、氷案内部は、互いに間隔をあけて設けられ、アジテータの氷押送部材の両側のそれぞれから氷放出口の両側のそれぞれに向かう方向に延びる第一ガイド部材及び第二ガイド部材と、貯氷庫本体の底部と間隔をあけて氷放出口に設けられ、第一ガイド部材から第二ガイド部材にわたって延在する氷案内板とを有し、氷押送部材は、第一ガイド部材及び第二ガイド部材が延びる方向に向かって回転してもよい。
【０００８】
アジテータの氷押送部材は、回転シャフトから放射状に突出し、アジテータの突出部材は、回転シャフトを螺旋状に取り囲む螺旋状部材と、回転シャフトから突出する氷攪拌部材とを含み、螺旋状部材は、回転シャフトの軸方向に垂直な方向で氷攪拌部材より突出せず、氷押送部材は、回転シャフトの軸方向に垂直な方向で螺旋状部材より突出しないものであってもよい。
【発明の効果】
【０００９】
この発明に係る貯氷庫によれば、貯氷庫から放出される氷に含まれる粉氷量の低減を図ることが可能になる。
【図面の簡単な説明】
【００１０】
【図１】この発明の実施の形態に係る貯氷庫の斜視図であり、貯氷庫の内部が見えるように１つの側壁を透明にしたものである。
【図２】図１の貯氷庫の正面図である。
【図３】図１の貯氷庫の内部を斜め上方から見た図である。
【発明を実施するための形態】
【００１１】
実施の形態
以下、この発明の実施の形態を添付図面に基づいて説明する。
まず、この発明の実施の形態に係る貯氷庫１０１の構成を説明する。
図１には、貯氷庫１０１が示されており、本実施の形態では、貯氷庫１０１は、製氷装置を備え且つ飲料と共に氷片を注出する飲料ディスペンサに付属するものとして説明する。さらに、図１では、貯氷庫１０１の貯氷庫本体１における紙面上で手前側の側壁の一つを透明にし、内部が見えるように示されている。
また、図２には、透明な側壁側からみた図１の貯氷庫１０１の正面図が示されている。
【００１２】
図１及び図２をあわせて参照すると、貯氷庫１０１は、略直方体状の箱状の形状をもち且つ上部で開放された筐体２と、筐体２の開放された上部を閉じる蓋体３とを有し、筐体２及び蓋体３は、貯氷庫本体１を構成している。そして、筐体２及び蓋体３は、その内部に貯氷室１ａを形成している。また、筐体２は、底壁２ａと底壁２ａから上方に延びる４つの側壁２ｂ〜２ｅとによって構成され、側壁２ｂ〜２ｅはこれらの上部で形成する開口が蓋体３によって閉じられている。なお、図１及び図２では側壁２ｃが透明になっている。
ここで、底壁２ａから蓋体３に向かう方向を上方と呼び、蓋体３から底壁２ａに向かう方向を下方と呼ぶ。
【００１３】
貯氷室１ａの内部では、筐体２の側壁２ｂから側壁２ｂに対向する側壁２ｄに向かって底壁２ａの方向に下降するように傾斜して延在する板状のコールドプレート４が、底壁２ａ全体にわたって設けられ、貯氷室１ａの底部を構成している。コールドプレート４は、内部を飲料の原液及び飲料に使用する炭酸水が流通するように構成されている。そして、貯氷庫本体１の外部の図示しないポンプによって送られる飲料の原液及び炭酸水が、コールドプレート４内を通過する際に、貯氷室１ａの内部の氷によって冷却され、その後、飲料として混ぜ合わされて図示しない飲料注出口から飲料ディスペンサの利用者に供給される。
【００１４】
また、コールドプレート４の蓋体３側となる上面４ａからは、筒状のカバー５ａの中に螺旋状のスクリュ５ｂを有する氷搬送装置５が、蓋体３を貫通して上方に延びている。氷搬送装置５は、図示しないディスペンサの氷注出口に連通している。また、筐体２の外部上方には、スクリュ５ｂをその中心軸の周りに回転させるための図示しないモータが設けられている。
また、氷搬送装置５のカバー５ａには、周囲の氷片をカバー５ａの内側に取り込むための氷取込口５ｃが形成されている。そして、氷取込口５ｃは、コールドプレート４より上方の蓋体３側にコールドプレート４と間隔をあけて設けられている。よって、回転するスクリュ５ｂは、氷取込口５ｃからカバー５ａの内部に流入する氷片を蓋体３の方向に向かって上方に搬送し、さらに、図示しない氷注出口から飲料ディスペンサの利用者に氷片を供給する。
ここで、氷取込口５ｃは、氷放出口を構成している。
【００１５】
さらに、貯氷室１ａの内部には、コールドプレート４の蓋体３側である上方に、側壁２ｂから側壁２ｄに向かって延びる氷案内部材６が設けられている。
氷案内部材６は、氷搬送装置５の氷取込口５ｃの位置を通るように配置されており、氷取込口５ｃの位置で氷搬送装置５のカバー５ａ及び氷取込口５ｃを取り囲む板状の氷案内板６ｃと、カバー５ａの両側つまり氷取込口５ｃの両側で互いに間隔をあけて氷案内板６ｃから一体に延び且つＬ字形断面の部材からなる第一ガイドバー６ａ及び第二ガイドバー６ｂとを有している。さらに、第一ガイドバー６ａ及び第二ガイドバー６ｂは、貯氷室１ａの底部を構成するコールドプレート４と間隔をあけてその上方に位置し、筐体２の側壁２ｂから側壁２ｄにわたって延在している。そして、氷案内板６ｃは、コールドプレート４と間隔をあけてその上方に位置し、第一ガイドバー６ａから第二ガイドバー６ｂにわたって延在して第一ガイドバー６ａと第二ガイドバー６ｂとを連結している。
ここで、氷案内部材６は、氷案内部を構成し、第一ガイドバー６ａ及び第二ガイドバー６ｂはそれぞれ、第一ガイド部材及び第二ガイド部材を構成している。
【００１６】
また、貯氷室１ａの内部には、氷案内部材６の上方に、第一アジテータ７が設けられている。
第一アジテータ７は、筐体２の側壁２ｃから側壁２ｃに対向する側壁２ｅに向かって略水平方向に延びる回転シャフト７ａと、回転シャフト７ａと間隔をあけて回転シャフト７ａの周りを螺旋状に延びて取り囲む棒状の螺旋バー７ｂとを有している。さらに、第一アジテータ７は、回転シャフト７ａの略水平な軸方向と垂直な方向つまり径方向に回転シャフト７ａを貫通して延びて螺旋バー７ｂの側壁２ｃ側の端部を回転シャフト７ａに連結する第一氷攪拌バー７ｃと、回転シャフト７ａをその径方向に貫通して延びて螺旋バー７ｂの側壁２ｅ側の端部を回転シャフト７ａに連結する第二氷攪拌バー７ｄと、第一氷攪拌バー７ｃ及び第二氷攪拌バー７ｄの間で回転シャフト７ａをその径方向に貫通して延びて螺旋バー７ｂを回転シャフト７ａに連結する連結バー７ｅとを有している。
【００１７】
第一氷攪拌バー７ｃ及び第二氷攪拌バー７ｄはそれぞれ、一方の端部を螺旋バー７ｂと連結させ、回転シャフト７ａを挟んで反対側の他方の端部を螺旋バー７ｂと連結させずに螺旋バー７ｂが形成する螺旋より径方向外側に突出させている。また、連結バー７ｅは、その両端を螺旋バー７ｂと連結させている。よって、第一氷攪拌バー７ｃ及び第二氷攪拌バー７ｄは、回転シャフト７ａと共に回転する際に描く軌跡が、螺旋バー７ｂが回転する際に描く軌跡より、回転シャフト７ａの径方向で大きくなっている。
ここで、螺旋バー７ｂは突出部材の螺旋状部材を構成し、第一氷攪拌バー７ｃ及び第二氷攪拌バー７ｄは突出部材の氷攪拌部材を構成している。
【００１８】
また、第一アジテータ７は、螺旋バー７ｂと側壁２ｅとの間で回転シャフト７ａからその径方向に一体に突出する４つの氷押送部材７ｆと、氷押送部材７ｆと側壁２ｅとの間で回転シャフト７ａからその径方向に一体に突出し先端が鉤状になった棒状の第三氷攪拌バー７ｇ（図３参照）とを有している。
【００１９】
４つの氷押送部材７ｆは回転シャフト７ａの周りに環状に配置されて放射状に突出している。さらに、氷押送部材７ｆのそれぞれは、回転シャフト７ａからその径方向に延びる棒状の第一部材７ｆ１と、第一部材７ｆ１の先端から第一部材７ｆ１に垂直な両方向に延びる棒状の第二部材７ｆ２とによって構成されており、Ｔ字形の形状を有している。そして、氷押送部材７ｆは、回転シャフト７ａと共に回転する第二部材７ｆ２が描く軌跡が、螺旋バー７ｂ、第一氷攪拌バー７ｃ、第二氷攪拌バー７ｄ及び第三氷攪拌バー７ｇが回転する際に描く軌跡の内側となるように形成されている。つまり、氷押送部材７ｆは、螺旋バー７ｂ、第一氷攪拌バー７ｃ、第二氷攪拌バー７ｄ及び第三氷攪拌バー７ｇより回転シャフト７ａの径方向に突出しないように形成されており、コールドプレート４との間に間隙を有している。
【００２０】
また、第三氷攪拌バー７ｇは、第一氷攪拌バー７ｃ及び第二氷攪拌バー７ｄと同様に、先端の鉤状部分を、螺旋バー７ｂが形成する螺旋より径方向外側に突出させており、回転シャフト７ａと共に回転する第三氷攪拌バー７ｇが描く軌跡が、螺旋バー７ｂが回転する際に描く軌跡より、回転シャフト７ａの径方向で大きくなっている。
ここで、第三氷攪拌バー７ｇは突出部材の氷攪拌部材を構成している。
【００２１】
さらに、図３を参照すると、氷押送部材７ｆはそれぞれ、氷案内部材６の第一ガイドバー６ａ及び第二ガイドバー６ｂの間の間隙の上方に位置するように、回転シャフト７ａに設けられている。換言すれば、第一ガイドバー６ａ及び第二ガイドバー６ｂはそれぞれ、氷押送部材７ｆの両側のそれぞれの下方から氷搬送装置５の氷取込口５ｃの両側のそれぞれに向かう方向に延びている。
【００２２】
また、図１及び図２に戻り、第一アジテータ７の回転シャフト７ａは、貯氷庫本体１の外部の図示しないモータと接続されており、第一アジテータ７は、モータの回転駆動力によって回転シャフト７ａを中心に回転する。このとき、第一アジテータ７は、回転シャフト７ａから突出する螺旋バー７ｂ、第一氷攪拌バー７ｃ、第二氷攪拌バー７ｄ及び第三氷攪拌バー７ｇ、並びに氷押送部材７ｆを、回転シャフト７ａを中心に回転させる。
【００２３】
また、筐体２の側壁２ｄにおいて、第一アジテータ７より上方となる蓋体３の近傍には、図示しない製氷装置によって製氷された氷片を貯氷室１ａの内部に導入するための矩形筒状の氷供給管８が設けられている。氷供給管８は、貯氷室１ａの内部では、筐体２の側壁２ｂ側の端部、及び底壁２ａ側の下部が開放されている。このため、貯氷室１ａの内部では、氷供給管８を通って供給される氷片は、側壁２ｂの方向である前方且つ下方に向かって氷供給管８から放出される。
【００２４】
また、蓋体３には、氷供給管８に比較的近い位置に、貯氷室１ａの内部に蓄積された氷の高さを検出するための満氷検知スイッチ９が設けられている。満氷検知スイッチ９は、貯氷室１ａの内部に筐体２の底壁２ａに向かって突出する回動自在なスイッチ端子９ａを有し、貯氷庫本体１の外部で図示しない飲料ディスペンサの制御装置に電気的に接続されている。
【００２５】
スイッチ端子９ａは、通常時は底壁２ａに向かって延び、側壁２ｂ又は側壁２ｄの方向への押圧力が加えられると回動することができ、加えられた押圧力が除去されると元の状態に戻り再び下方に向く。このため、貯氷室１ａの内部に氷が蓄積されて氷の高さが高くなると、高くなった氷がスイッチ端子９ａを回動させる。このとき、満氷検知スイッチ９は、図示しない飲料ディスペンサの制御装置にスイッチ端子９ａの動作を示す信号を送信し、この信号を受信した制御装置は、貯氷室１ａ内の氷の蓄積量が所定量以上つまり満氷であると判定し、製氷を停止する。その後、氷の蓄積量が少なくなると、スイッチ端子９ａが通常の状態に戻り、製氷可能となる。
【００２６】
また、蓋体３には、満氷検知スイッチ９に比較的近い位置に、第二アジテータ１０が設けられている。
第二アジテータ１０は、蓋体３に取り付けられて貯氷庫本体１の外部に突出するアクチュエータ１０ｃと、貯氷室１ａの内部においてアクチュエータ１０ｃから筐体２の底壁２ａに向かって延びる棒状の攪拌軸１０ａと、攪拌軸１０ａの下端から攪拌軸１０ａに垂直に両方向に延びる棒状の攪拌棒１０ｂとを有している。よって、攪拌軸１０ａ及び攪拌棒１０ｂは一体となってＴ字状の部材を形成している。そして、攪拌棒１０ｂは、満氷検知スイッチ９のスイッチ端子９ａより筐体２の底壁２ａに近い低い位置であり且つ第一アジテータ７より蓋体３に近い高い位置に配置されている。
【００２７】
そして、第二アジテータ１０は、アクチュエータ１０ｃの回転駆動力によって、攪拌軸１０ａを中心として攪拌棒１０ｂを回転させる。つまり、第二アジテータ１０は、蓋体３から筐体２の底壁２ａに向かう方向に延びる軸を中心に、攪拌軸１０ａから突出する攪拌棒１０ｂを回転させて、貯氷室１ａ内の氷片を攪拌することができる。
【００２８】
次に、この発明の実施の形態に係る貯氷庫１０１の動作を説明する。
図１及び図２をあわせて参照すると、利用者によって図示しない飲料ディスペンサに飲料の提供が要求されたとき、飲料ディスペンサでは、貯氷庫１０１から氷片を放出して利用者に供給するために、貯氷室１ａ内の氷搬送装置５のスクリュ５ｂが回転駆動される。同時に、貯氷室１ａ内の第一アジテータ７が図２の紙面上において反時計回りである方向Ｐへ回転駆動される。さらに、蓋体３に取り付けられた第二アジテータ１０も回転駆動される。
【００２９】
このとき、貯氷室１ａ内では、氷搬送装置５の氷取込口５ｃにおけるスクリュ５ｂ周辺の氷片が回転するスクリュ５ｂによってカバー５ａ内を上方に搬送され、図示しない氷注出口から飲料ディスペンサの利用者に供給される。同時に、回転する第一アジテータ７では、図３に示すように、螺旋バー７ｂが貯氷室１ａ内の氷を氷案内部材６の第一ガイドバー６ａ及び第二ガイドバー６ｂの間の間隙に向かって送り、コールドプレート４の上方にある第一ガイドバー６ａ及び第二ガイドバー６ｂの間の氷片を、回転する氷押送部材７ｆが第一ガイドバー６ａ及び第二ガイドバー６ｂに沿って氷案内板６ｃに向かって押し送り、それによって、氷片が、氷案内板６ｃ上に連続的に送られ、さらに氷搬送装置５のカバー５ａの氷取込口５ｃ内に連続的に送られる。
【００３０】
また、回転シャフト７ａと共に回転する第一氷攪拌バー７ｃ及び第二氷攪拌バー７ｄは、螺旋バー７ｂの径方向外側の氷を攪拌することで、氷案内部材６に氷を送ることによって密度が粗になった螺旋バー７ｂの内側及び周囲に氷を供給し、貯氷室１ａ内の氷の密度を均一化する。回転シャフト７ａと共に回転する第三氷攪拌バー７ｇは、第二ガイドバー６ｂ周辺の氷を攪拌することで、氷取込口５ｃに氷片を送ることによって密度が粗になった氷押送部材７ｆ、第一ガイドバー６ａ及び第二ガイドバー６ｂの周囲に氷を供給し、貯氷室１ａ内の氷の密度を均一化する。
【００３１】
また、図１及び図２に戻り、第二アジテータ１０では、攪拌軸１０ａを中心に回転する攪拌棒１０ｂが、第一アジテータ７の外側上方の貯氷室１ａ内に堆積した氷を攪拌して崩すことで第一アジテータ７に氷を供給し、貯氷室１ａ内の氷の密度を均一化する。
そしてまた、利用者への氷片の供給と同時に、飲料の原液又は炭酸水が、図示しないポンプによってコールドプレート４に送られ、コールドプレート４内を通過する際に貯氷室１ａ内の氷によって冷却されて利用者に供給される。
利用者への飲料及び氷片の供給完了後、氷搬送装置５のスクリュ５ｂ、第一アジテータ７及び第二アジテータ１０が停止される。
【００３２】
また、飲料ディスペンサでは、貯氷室１ａ内の氷の量が所定量より少なくなると製氷が行われ、氷供給管８を介して貯氷室１ａ内に、製氷された氷片が供給される。このとき、第二アジテータ１０が回転され、回転する第二アジテータ１０は、貯氷室１ａ内に堆積する氷片を攪拌して崩し、氷供給管８及び満氷検知スイッチ９の近傍に氷片が山状に高く堆積するのを防ぐ。
【００３３】
上述で説明したように、この発明に係る貯氷庫１０１は、内部の氷を外部に放出するための氷取込口５ｃを有する貯氷庫本体１と、貯氷庫本体１内に設けられ、回転シャフト７ａ並びに回転シャフト７ａから延びる氷押送部材７ｆ、螺旋バー７ｂ、第一氷攪拌バー７ｃ、第二氷攪拌バー７ｄ、及び第三氷攪拌バー７ｇを有する第一アジテータ７と、貯氷庫本体１の底部にあるコールドプレート４と間隔をあけて貯氷庫本体１内に設けられ、氷押送部材７ｆから氷取込口５ｃに向かう方向に延びる氷案内部材６とを備える。氷押送部材７ｆは、氷案内部材６が延びる方向に向かって回転シャフト７ａと共に回転して氷取込口５ｃに氷を送る。螺旋バー７ｂ、第一氷攪拌バー７ｃ、第二氷攪拌バー７ｄ、及び第三氷攪拌バー７ｇは、回転シャフト７ａの軸方向に垂直な方向で氷押送部材７ｆより突出する。
【００３４】
このとき、氷押送部材７ｆは、氷を氷案内部材６に沿って送ることができるため、押し送る際の氷の拡散が抑えられ、氷を氷取込口５ｃに効率的に送ることができる。また、氷押送部材７ｆは、螺旋バー７ｂ、第一氷攪拌バー７ｃ、第二氷攪拌バー７ｄ、及び第三氷攪拌バー７ｇより回転シャフト７ａの軸方向に垂直な方向で突出していないため、貯氷庫本体１の底部のコールドプレート４との間に間隔を有している。このため、氷押送部材７ｆは、氷片を押し送る際、コールドプレート４に対して圧縮して粉砕する氷片の量を少なく抑えることができると共に、コールドプレート４の上面４ａに堆積した粉氷を押し送ることなく粉氷の上方の氷片を氷取込口５ｃに送ることができる。さらに、氷案内部材６がコールドプレート４との間に間隙を有しているため、氷押送部材７ｆによって氷案内部材６に沿って送られる氷も、コールドプレート４上の粉氷ではなくその上方の氷片となる。従って、貯氷庫１０１は、貯氷庫１０１の氷を効率的に送り出すことを可能にすると共に貯氷庫１０１から放出される氷片に含まれる粉氷量を低減することを可能にする。
【００３５】
また、貯氷庫１０１において、第一アジテータ７の回転シャフト７ａは、略水平方向に延びる。さらに、氷案内部材６は、互いに間隔をあけて設けられ、第一アジテータ７の氷押送部材７ｆの両側のそれぞれから氷取込口５ｃの両側のそれぞれに向かう方向に延びる第一ガイドバー６ａ及び第二ガイドバー６ｂと、貯氷庫本体１の底部のコールドプレート４と間隔をあけて氷取込口５ｃに設けられ、第一ガイドバー６ａから第二ガイドバー６ｂにわたって延在する氷案内板６ｃとを有する。そして、氷押送部材７ｆは、第一ガイドバー６ａ及び第二ガイドバー６ｂが延びる方向に向かって回転する。
【００３６】
これにより、氷押送部材７ｆによって押し送られる氷片は、第一ガイドバー６ａ及び第二ガイドバー６ｂによって氷押送部材７ｆの両側への拡散が抑えられつつ、第一ガイドバー６ａ及び第二ガイドバー６ｂに沿って氷案内板６ｃに移動させられ、そして、氷取込口５ｃに流入する。さらに、氷案内板６ｃはコールドプレート４と間隔をあけてその上方に設けられるため、氷案内板６ｃに送られる氷は、コールドプレート４の上方にある粒が大きく含有する粉氷量が少ない氷片である。よって、貯氷庫１０１では、氷取込口５ｃに送られ貯氷庫１０１から放出される氷に含まれる粉氷量を低減し氷の品質を向上させることが可能になる。
【００３７】
また、貯氷庫１０１において、第一アジテータ７の氷押送部材７ｆは、回転シャフト７ａから放射状に突出し、第一アジテータ７の螺旋バー７ｂは、回転シャフト７ａを螺旋状に取り囲み、第一アジテータ７の第一氷攪拌バー７ｃ、第二氷攪拌バー７ｄ及び第三氷攪拌バー７ｇは、回転シャフト７ａから突出し、螺旋バー７ｂは、回転シャフト７ａの軸方向に垂直な方向で第一氷攪拌バー７ｃ、第二氷攪拌バー７ｄ及び第三氷攪拌バー７ｇより突出せず、氷押送部材７ｆは、回転シャフト７ａの軸方向に垂直な方向で螺旋バー７ｂより突出しない。
【００３８】
このとき、螺旋バー７ｂは、回転することによって貯氷室１ａ内の氷を氷案内部材６に送り、第一氷攪拌バー７ｃ、第二氷攪拌バー７ｄ及び第三氷攪拌バー７ｇは、回転することによって貯氷室１ａ内の氷を攪拌して崩し、氷押送部材７ｆ及び螺旋バー７ｂが氷を送ることによってできる空隙を氷で埋める。よって、貯氷室１ａ内での氷のアーチングを防ぐと共に貯氷庫１０１から氷を安定して送り出すことができる。さらに、第一氷攪拌バー７ｃ、第二氷攪拌バー７ｄ又は第三氷攪拌バー７ｇが、回転シャフト７ａの軸方向に垂直な方向で最も突出する構成であるため、氷を送る氷押送部材７ｆ及び螺旋バー７ｂが、コールドプレート４との間で氷片を圧縮して粉砕する量を低減することが可能になる。
【００３９】
また、回転シャフト７ａ上において、氷押送部材７ｆを挟んで一方の側に第一氷攪拌バー７ｃ、第二氷攪拌バー７ｄ及び螺旋バー７ｂを配置し、他方の側に第三氷攪拌バー７ｇを配置することによって、螺旋バー７ｂの長さを短くすることができる。これによって、螺旋バー７ｂが発生する粉氷量を低減することが可能になる。
また、貯氷庫１０１では、コールドプレート４内を飲料の原液等が流通する際、コールドプレート４の上面４ａの氷が融解し、そして、氷搬送装置５が氷を搬出することで、コールドプレート４近傍の貯氷室１ａの底部の氷が減少する。また、貯氷室１ａ内の氷は、供給されてから時間が経過するに従いその表面が融解して氷同士がくっつき、重力の作用のみでは崩れにくくなる。このため、貯氷室１ａの底部に氷が無い状態が発生する可能性があるが、回転シャフト７ａに第一氷攪拌バー７ｃ、第二氷攪拌バー７ｄ及び第三氷攪拌バー７ｇを設け一体に回転させることによって、くっついた氷をほぐし、貯氷室１ａの底部に氷を供給することができる。
【００４０】
また、貯氷庫１０１において、貯氷庫本体１の蓋体３から貯氷室１ａ内に延びる第二アジテータ１０が設けられている。つまり、第二アジテータ１０は、第一アジテータ７の上方に間隔あけて設けられ、その回転方向が、第一アジテータ７の回転方向に対して垂直であり異なっている。よって、第一氷攪拌バー７ｃ、第二氷攪拌バー７ｄ及び第三氷攪拌バー７ｇが攪拌できない上方で表面の融解でくっついた氷を、第二アジテータ１０でほぐし崩すことができる。さらに、第一アジテータ７と回転方向が異なる第二アジテータ１０は、第一アジテータ７で崩すことができない氷に対して異なる方向の力を加えることができるため、氷を効果的にほぐし崩すことができる。
【００４１】
また、実施の形態の貯氷庫１０１では、第一氷攪拌バー７ｃ、第二氷攪拌バー７ｄ及び第三氷攪拌バー７ｇの全てが、螺旋バー７ｂより回転シャフト７ａの径方向に突出する構成であったが、これに限定されるものでなく、螺旋バー７ｂより回転シャフト７ａの径方向に突出しないものを含んでいてもよい。
また、実施の形態の貯氷庫１０１では、氷案内部材６に氷を送り出すために回転シャフト７ａの周りに棒状の螺旋バー７ｂを設けていたが、これに限定されるものでなく、回転シャフト７ａの周りに螺旋状の羽を設け、スクリュとしてもよい。
【００４２】
また、実施の形態の貯氷庫１０１では、氷押送部材７ｆは、氷案内部材６の第一ガイドバー６ａ及び第二ガイドバー６ｂの間の間隙の上方に位置するように設けられていたが、これに限定されるものでなく、回転したときに第一ガイドバー６ａ及び第二ガイドバー６ｂの間又は第一ガイドバー６ａ及び第二ガイドバー６ｂの間の間隙の下方に延在するように設けられてもよい。
また、実施の形態の貯氷庫１０１では、氷取込口５ｃは、氷搬送装置５に設けられていたが、これに限定されるものでなく、筐体２の側壁２ｂ〜２ｅに形成された開口であってもよい。
【符号の説明】
【００４３】
１  貯氷庫本体、１ａ  貯氷室、２  筐体、３  蓋部、４  コールドプレート（貯氷庫本体の底部）、５  氷搬送装置、５ｃ  氷取込口（氷放出口）、６  氷案内部材（氷案内部）、６ａ  第一ガイドバー（第一ガイド部材）、６ｂ  第二ガイドバー（第二ガイド部材）、６ｃ  氷案内板、７  アジテータ、７ａ  回転シャフト、７ｂ  螺旋バー（突出部材、螺旋状部材）、７ｃ  第一氷攪拌バー（突出部材、氷攪拌部材）、７ｄ  第二氷攪拌バー（突出部材、氷攪拌部材）、７ｆ  氷押送部材、７ｇ  第三氷攪拌バー（突出部材、氷攪拌部材）、１０１  貯氷庫。
【図１】
0005755486.tif 000002
【図２】
0005755486.tif 000003
【図３】
0005755486.tif 000004